(57)【特許請求の範囲】
【請求項１】
ユーザ機器（ＵＥ）から、サービスタイプを示す接続要求を送ること、ここにおいて、前記サービスタイプは、デバイスツーデバイス（Ｄ２Ｄ）通信である、と、
ベアラのセットを確立することと、
前記ベアラのセットの少なくとも１つのベアラを中断すること、前記少なくとも１つの中断されたベアラは、前記示されたサービスタイプに基づく、と
を備え、前記接続要求は、
前記サービスタイプを示し、アクティブであるべきである前記ベアラのセットの発展型パケットシステム（ＥＰＳ）ベアラのサブセットを示すＥＰＳベアラコンテキストステータスＩＥを含む拡張サービス要求（ＥＳＲ）を備える、ワイヤレス通信のための方法。
【請求項２】
前記接続要求は、前記サービスタイプがマシンツーマシン通信であることを示す、
請求項１に記載の方法。
【請求項３】
前記ＵＥにおいて、前記ＥＳＲに応答して、アクティブであるべき前記ＥＰＳベアラコンテキストステータスＩＥによって示された前記サブセットのそれぞれのＥＰＳベアラに対応する少なくとも１つの無線ベアラを確立するメッセージを受信することをさらに備え、
中断することは、対応する無線ベアラがそれのために確立されない前記ベアラのセットの各ＥＰＳベアラをローカルで中断することを備える、
請求項１に記載の方法。
【請求項４】
前記ＵＥから、第２のサービスタイプを示し、アクティブであるべきである前記ベアラのセットのＥＰＳベアラの第２のサブセットを示す第２のＥＰＳベアラコンテキストステータスＩＥを含む、第２のＥＳＲを送ることと、
前記ＵＥにおいて、前記第２のＥＳＲに応答して、少なくとも１つの無線ベアラを確立する第２のメッセージを受信すること、各無線ベアラは、アクティブであるべき前記第２のＥＰＳベアラコンテキストステータスＩＥによって示されたそれぞれのＥＰＳベアラに対応する、と、
対応する無線ベアラがそれのために確立される各それぞれのＥＰＳベアラを中断からアクティブにすることと
をさらに備える、請求項３に記載の方法。
【請求項５】
前記第２のＥＳＲを送ることをトリガするために、前記第２のサービスタイプによって送られるべきアップリンクデータを識別することをさらに備える、
請求項４に記載の方法。
【請求項６】
前記第２のサービスタイプによって送られるべきアップリンクデータを識別することは、
無線リソース制御（ＲＲＣ）エラーを識別することを備える、
請求項５に記載の方法。
【請求項７】
前記ＵＥから、データが第２のサービスタイプによって前記ＵＥから送られるべきであるとき、前記ベアラのセットのすべてのＥＰＳベアラをアクティブにするための通信を送ることをさらに備える、
請求項４に記載の方法。
【請求項８】
前記ＵＥにおいて、前記通信に応答して第２のメッセージを受信することと、
前記第２のメッセージに基づいて各ローカルで中断されたＥＰＳベアラをアクティブにすることと
をさらに備える、請求項７に記載の方法。
【請求項９】
前記ＵＥにおいて、ダウンリンクデータが前記ＵＥのために保留中であるとき、第２のメッセージを受信することと、
前記ＵＥから、前記第２のメッセージに応答して第２のＥＳＲを送ることと、
前記第２のＥＳＲに示されているように各ローカルで中断されたＥＰＳベアラをアクティブにすることと
をさらに備える、請求項３に記載の方法。
【請求項１０】
ユーザ機器（ＵＥ）から、サービスタイプを示す接続要求を送るための手段、ここにおいて、前記サービスタイプは、デバイスツーデバイス（Ｄ２Ｄ）通信である、と、
ベアラのセットを確立するための手段と、
前記ベアラのセットの少なくとも１つのベアラを中断するための手段、前記少なくとも１つの中断されたベアラは、前記示されたサービスタイプに基づく、と
を備え、前記接続要求は、
前記サービスタイプを示し、アクティブであるべきである前記ベアラのセットの発展型パケットシステム（ＥＰＳ）ベアラのサブセットを示すＥＰＳベアラコンテキストステータスＩＥを含む拡張サービス要求（ＥＳＲ）を備える、ワイヤレス通信のための装置。
【請求項１１】
基地局において、サービスタイプを示す接続要求を受信すること、ここにおいて、前記サービスタイプは、デバイスツーデバイス（Ｄ２Ｄ）通信である、と、
ベアラのセットを確立することと、
前記ベアラのセットの少なくとも１つを中断すること、前記少なくとも１つの中断されたベアラは、前記示されたサービスタイプに基づく、と
を備え、前記接続要求は、
前記サービスタイプを示し、アクティブであるべきである前記ベアラのセットの発展型パケットシステム（ＥＰＳ）ベアラのサブセットを示すＥＰＳベアラコンテキストステータスＩＥを含む拡張サービス要求（ＥＳＲ）を備える、ワイヤレス通信のための方法。
【請求項１２】
基地局において、サービスタイプを示す接続要求を受信するための手段、前記サービスタイプは、デバイスツーデバイス（Ｄ２Ｄ）通信である、と、
ベアラのセットを確立するための手段と、
前記ベアラのセットの少なくとも１つを中断するための手段、前記少なくとも１つの中断されたベアラは、前記示されたサービスタイプに基づく、と
を備え、前記接続要求は、
前記サービスタイプを示し、アクティブであるべきである前記ベアラのセットの発展型パケットシステム（ＥＰＳ）ベアラのサブセットを示すＥＰＳベアラコンテキストステータスＩＥを含む拡張サービス要求（ＥＳＲ）を備える、ワイヤレス通信のための装置。
【請求項１３】
少なくとも１つのコンピュータに、請求項１乃至９または１１のいずれか１項に従うステップを実行させる命令を備えるコンピュータプログラム。
【発明の詳細な説明】
【相互参照】
【０００１】
[0001]本特許出願は、各々が本出願の譲受人に譲渡された、２０１５年７月８日に出願された、「Bearer Management for Prose Direct Discovery」と題する、Ｚｉｓｉｍｏｐｏｕｌｏｓらによる米国特許出願第１４／７９４，０１０号、および２０１４年７月１５日に出願された、「Bearer Management for Prose Direct Discovery」と題する、Ｚｉｓｉｍｏｐｏｕｌｏｓらによる米国仮特許出願第６２／０２４，５０２号の優先権を主張する。
【技術分野】
【０００２】
[0002]以下は、一般にワイヤレス通信に関し、より詳細には、リソース管理に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。
【０００５】
[0005]さらに、モバイルデバイスは、デバイスツーデバイス（Ｄ２Ｄ）通信を介して互いと直接通信し得る。近接ベースサービス（ＰｒｏＳｅ：proximity based services）は、Ｄ２Ｄ通信のための１つの手法である。しかしながら、基地局または他のネットワークデバイスは、依然としてＤ２Ｄ通信の初期化中に関与し得る。たとえば、ロングタームエボリューション（ＬＴＥ（登録商標））システムにおける一般的な基地局サポート通信のために使用されるべきであるモバイルデバイスの初期化は、モバイルデバイスによって使用され得るすべてのアクティブな発展型パケットシステム（ＥＰＳ）ベアラのための無線ベアラをアクティブにするモビリティ管理エンティティ（ＭＭＥ）と呼ばれるエンティティを伴う。同様に、Ｄ２Ｄ通信の初期化では、ＭＭＥはまた、モバイルデバイスがＤ２Ｄ通信に関与するときでも、通常、モバイルデバイスによって使用され得る無線ベアラのすべてをアクティブにし得る。
【０００６】
[0006]しかしながら、トラフィックがモバイルデバイス間を直接進むので、ＥＰＳベアラは、実際はＤ２Ｄ通信に必要とされない。したがって、ベアラ（無線およびＥＰＳ）を確立することと、ベアラをアクティブに保つこととは、ネットワークリソースを不必要に使用する。
【発明の概要】
【０００７】
[0007]説明する特徴は、一般に、ワイヤレス通信におけるリソース管理を改善するための１つまたは複数の改善されたシステム、方法、および／または装置に関する。より詳細には、説明する特徴は、たとえば、Ｄ２Ｄ通信のための、必要のないときにベアラを中断するための技法に関する。一例では、モバイルデバイスは、サービスタイプを示す接続要求を送り得る。接続要求は、サービス要求（ＳＲ：service request）または拡張サービス要求（ＥＳＲ：extended service request）であり得る。ベアラのセットは、意図された（１つまたは複数の）通信のために確立され得る。示されたサービスタイプは、ベアラのセットのすべてのベアラを必要とするとは限らず、したがって、ベアラのセットの少なくとも１つのベアラが中断され得る。
【０００８】
[0008]ワイヤレス通信のための方法について説明する。一実装形態によれば、本方法は、ユーザ機器（ＵＥ）から、サービスタイプを示す接続要求を送ることを伴い得る。ベアラのセットが確立され得る。示されたサービスタイプに少なくとも部分的に基づいて、ベアラのセットの少なくとも１つのベアラが中断され得る。
【０００９】
[0009]いくつかの例では、接続要求は、サービスタイプがデバイスツーデバイス（Ｄ２Ｄ）通信であることを示し得る。
【００１０】
[0010]いくつかの例では、接続要求を送ることは、拡張サービス要求（ＥＳＲ）を基地局に送ることを伴い得る。ＥＳＲは、サービスタイプを示し得、アクティブであるべきであるベアラのセットの発展型パケットシステム（ＥＰＳ）ベアラのサブセットを示すＥＰＳベアラコンテキストステータス情報要素（ＩＥ）を含み得る。
【００１１】
[0011]そのような例では、本方法は、ＵＥにおいて、ＥＳＲに応答してメッセージを受信することを伴い得る。受信されたメッセージは、アクティブであるべきＥＰＳベアラコンテキストステータスＩＥによって示されたサブセットのそれぞれのＥＰＳベアラに対応する少なくとも１つの無線ベアラを確立し得る。本方法は、対応する無線ベアラがそれのために確立されないベアラのセットの各ＥＰＳベアラをローカルで中断することをも伴い得る。
【００１２】
[0012]いくつかの例では、本方法は、ＵＥから、第２のサービスタイプを示し、アクティブであるべきであるベアラのセットのＥＰＳベアラの第２のサブセットを示す第２のＥＰＳベアラコンテキストステータスＩＥを含む、第２のＥＳＲを送ることを伴い得る。そのような例では、本方法は、ＵＥにおいて、第２のＥＳＲに応答して、少なくとも１つの無線ベアラを確立する第２のメッセージを受信することをも伴い得る。各確立された無線ベアラは、アクティブであるべき第２のＥＰＳベアラコンテキストステータスＩＥによって示されたそれぞれのＥＰＳベアラに対応し得る。本方法は、対応する無線ベアラがそれのために確立される各それぞれのＥＰＳベアラを中断からアクティブにすることをも伴い得る。
【００１３】
[0013]いくつかの例では、本方法は、第２のＥＳＲを送ることをトリガするために、第２のサービスタイプによって送られるべきアップリンクデータを識別することを伴い得る。そのような例では、第２のサービスタイプによって送られるべきアップリンクデータを識別することは、無線リソース制御（ＲＲＣ）エラーを識別することを伴い得る。
【００１４】
[0014]いくつかの例では、本方法は、ＵＥから、データが第２のサービスタイプによってＵＥから送られるべきであるとき、ベアラのセットのすべてのＥＰＳベアラをアクティブにするための通信を送ることを伴い得る。そのような例では、通信を送ることは、トラッキングエリア更新（ＴＡＵ：tracking area update）要求を送ることを伴い得る。
【００１５】
[0015]いくつかの例では、本方法は、ＵＥにおいて、通信に応答して第２のメッセージを受信することを伴い得る。そのような例では、本方法は、第２のメッセージに少なくとも部分的に基づいて各ローカルで中断されたＥＰＳベアラをアクティブにすることを伴い得る。
【００１６】
[0016]いくつかの例では、本方法は、ＵＥにおいて、ダウンリンクデータがＵＥのために保留中であるとき、第２のメッセージを受信することを伴い得る。そのような例では、本方法は、ＵＥから、第２のメッセージに応答して第２のＥＳＲを送ることを伴い得る。本方法は、第２のＥＳＲに示されているように各ローカルで中断されたＥＰＳベアラをアクティブにすることをも伴い得る。
【００１７】
[0017]いくつかの例では、本方法は、ＵＥにおいて、ダウンリンクデータがＵＥのために保留中であるとき、第２のメッセージを受信することを伴い得、第２のメッセージが、保留中のダウンリンクデータのためのベアラのセットの少なくとも１つのＥＰＳベアラを示す。そのような例では、本方法は、示された少なくとも１つのＥＰＳベアラに対応する少なくとも１つのデータリソースベアラ（ＤＲＢ：data resource bearer）を構成することを伴い得る。
【００１８】
[0018]いくつかの例では、接続要求を送ることは、サービスタイプを示すサービス要求（ＳＲ）を送ることを伴い得る。そのような例では、本方法は、示されたサービスタイプに少なくとも部分的に基づいて基地局との無線リソース制御（ＲＲＣ）接続を確立することを伴い得る。本方法は、ＵＥにおいて基地局から、ベアラのセットの少なくとも１つのデータ無線ベアラ（ＤＲＢ：data radio bearer）が確立されないことを示すメッセージを受信することをも伴い得、それにより、少なくとも１つのＤＲＢを中断する。
【００１９】
[0019]いくつかの例では、本方法は、受信されたメッセージに少なくとも部分的に基づいて、ダミーパケットデータコンバージェンスプロトコル（ＰＤＣＰ）とダミー無線リンク制御（ＲＬＣ）とを構成することを伴い得る。
【００２０】
[0020]いくつかの例では、本方法は、第２のサービスタイプによって送られるべきアップリンクデータを識別することを伴い得る。そのような例では、本方法は、ＵＥから、リソース割振りを要求するための通信を送ることを伴い得る。本方法は、ＵＥにおいて、アップリンクデータのためのベアラのセットの少なくとも１つのＤＲＢを示す第２のメッセージを受信することをも伴い得る。さらに、本方法は、示された少なくとも１つのＤＲＢを構成することを伴い得る。
【００２１】
[0021]いくつかの例では、第２のサービスタイプによって送られるべきアップリンクデータを識別することは、無線リソース制御（ＲＲＣ）エラーを識別することを伴い得る。
【００２２】
[0022]いくつかの例では、本方法は、ＵＥにおいて、ダウンリンクデータがＵＥのために保留中であるとき、第２のメッセージを受信することを伴い得る。第２のメッセージは、ダウンリンクデータのためのベアラのセットの少なくとも１つのＤＲＢを示し得る。そのような例では、本方法は、示された少なくとも１つのＤＲＢを構成することを伴い得る。
【００２３】
[0023]ワイヤレス通信のための装置について説明する。一構成では、本装置は、ユーザ機器（ＵＥ）から、サービスタイプを示す接続要求を送るための手段と、ベアラのセットを確立するための手段と、ベアラのセットの少なくとも１つのベアラを中断するための手段と、少なくとも１つの中断されたベアラが、示されたサービスタイプに少なくとも部分的に基づく、を含み得る。本装置は、上記および本明細書で説明している方法の様々な動作を行うように構成されたこれらおよび／または他の要素を含み得る。
【００２４】
[0024]ワイヤレス通信のための別の装置について説明する。一構成によれば、本装置は、ユーザ機器（ＵＥ）から、サービスタイプを示す接続要求を送るように構成された通信マネージャと、ベアラのセットを確立し、ベアラのセットの少なくとも１つのベアラを中断するように構成されたベアラマネージャと、少なくとも１つの中断されたベアラが、示されたサービスタイプに少なくとも部分的に基づく、を含み得る。本装置は、上記および本明細書で説明している方法の様々な動作を行うように構成されたこれらおよび／または他の要素を含み得る。
【００２５】
[0025]ワイヤレス通信のための別の装置について説明する。一構成によれば、本装置は、プロセッサと、プロセッサと電子通信しているメモリと、メモリに記憶された命令とを含み得る。命令は、ユーザ機器（ＵＥ）から、サービスタイプを示す接続要求を送ることと、ベアラのセットを確立することと、ベアラのセットの少なくとも１つのベアラを中断することと、少なくとも１つの中断されたベアラが、示されたサービスタイプに少なくとも部分的に基づく、を行うために、プロセッサによって実行可能であり得る。命令は、上記および本明細書で説明している方法のこれらおよび／または他の様々な動作を実行するように、プロセッサによって実行可能であり得る。
【００２６】
[0026]非一時的コンピュータ可読媒体について説明する。媒体は、ワイヤレス通信のためのコンピュータ実行可能コードを記憶し得る。コードは、ユーザ機器（ＵＥ）から、サービスタイプを示す接続要求を送ることと、ベアラのセットを確立することと、ベアラのセットの少なくとも１つのベアラを中断することと、少なくとも１つの中断されたベアラが、示されたサービスタイプに少なくとも部分的に基づく、を行うために、プロセッサによって実行可能であり得る。コードは、上記および本明細書で説明している方法のこれらおよび／または他の様々な動作を実行するように、プロセッサによって実行可能であり得る。
【００２７】
[0027]ワイヤレス通信のための別の方法について説明する。一構成によれば、本方法は、基地局において、サービスタイプを示す接続要求を受信することと、ベアラのセットを確立することと、ベアラのセットの少なくとも１つを中断することと、少なくとも１つの中断されたベアラが、示されたサービスタイプに少なくとも部分的に基づく、を伴い得る。本方法は、本明細書で説明するこれらおよび／または他の様々な動作を実行すること伴い得る。
【００２８】
[0028]説明する方法および装置の適用性のさらなる範囲は、以下の発明を実施するための形態、特許請求の範囲、および図面から明らかになろう。当業者には発明を実施するための形態の趣旨および範囲内の様々な変更および修正が明らかになるので、発明を実施するための形態および特定の例は、例示として与えられるものにすぎない。
【図面の簡単な説明】
【００２９】
[0029]本発明の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図１】本開示の様々な態様による、ワイヤレス通信システムのブロック図。
【図２】本開示の様々な態様による、モバイルデバイスのためのＤ２Ｄ通信をセットアップするために関与し得る通信およびアクションの一例を示す図。
【図３】本開示の様々な態様による、モバイルデバイスのためのＤ２Ｄ通信をセットアップするために関与し得る通信およびアクションの別の例を示す図。
【図４】本開示の様々な態様による、アップリンク通信のためにモバイルデバイスをリセットするために関与し得る通信およびアクションの一例を示す図。
【図５】本開示の様々な態様による、ダウンリンク通信のためにモバイルデバイスをリセットするために関与し得る通信およびアクションの一例を示す図。
【図６】本開示の様々な態様による、ダウンリンク通信のためにモバイルデバイスをリセットするために関与し得る通信およびアクションの別の例を示す図。
【図７Ａ】本開示の様々な態様による、ワイヤレス通信のために使用され得る装置の一例のブロック図。
【図７Ｂ】本開示の様々な態様による、ワイヤレス通信のために使用され得る装置の別の例のブロック図。
【図８】本開示の様々な態様による、ワイヤレス通信のために構成されたユーザ機器（ＵＥ）のためのアーキテクチャの一例を示すブロック図。
【図９】本開示の様々な態様による、ワイヤレス通信のために構成された通信システムの一部として発展型ノードＢ（ｅＮＢ）のためのアーキテクチャの一例を示すブロック図。
【図１０】本開示の様々な態様による、ワイヤレス通信のための方法の一例を示すフローチャート。
【図１１】本開示の様々な態様による、ワイヤレス通信のための方法の別の例を示すフローチャート。
【図１２】本開示の様々な態様による、ワイヤレス通信のための方法のまた別の例を示すフローチャート。
【図１３】本開示の様々な態様による、図１１の方法の後に実装され得るワイヤレス通信のためのさらなる方法を示すフローチャート。
【図１４】本開示の様々な態様による、図１２の方法の後に実装され得るワイヤレス通信のためのさらなる方法を示すフローチャート。
【図１５】本開示の様々な態様による、図１１または図１２の方法の後に実装され得るワイヤレス通信のための別の方法を示すフローチャート。
【発明を実施するための形態】
【００３０】
[0046]本開示は、ワイヤレス通信のためのリソースの管理に関する。特に、Ｄ２Ｄワイヤレス通信中のリソースの管理について説明する。Ｄ２Ｄ通信システムの一般的な初期化中に、ユーザ機器（ＵＥ）などのモバイルデバイスは、実際はＤ２Ｄ通信中に必要とされないワイヤレス通信ベアラをアクティブにし得るモビリティ管理エンティティ（ＭＭＥ）と通信し得る。その後、ワイヤレスベアラが使用され得るが、Ｄ２Ｄ通信中のワイヤレスベアラの一時的中断は、ワイヤレスリソースの効率的な管理のために有益であり得る。ワイヤレスベアラの中断は、以下で説明するように、Ｄ２Ｄ通信初期化中に達成され得る。
【００３１】
[0047]一例では、モバイルデバイス、たとえば、ＵＥは、Ｄ２Ｄ通信を介して別のモバイルデバイスと直接通信するためにセットアップされ得る。セットアップ中に、モバイルデバイスは、接続要求を用いてＤ２Ｄ通信に対応するサービスタイプを示し得る。モバイルデバイスは、アクティブであるべきである、ベアラのセットのＥＰＳベアラのサブセットをさらに示し得る。さらに、モバイルデバイスは、非アクティブであるべきであり、対応する無線ベアラがそれのために確立されない、ＥＰＳベアラをローカルで中断し得る。
【００３２】
[0048]以下の説明は、例を与えるものであり、特許請求の範囲に記載される範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３３】
[0049]最初に図１を参照すると、本開示の様々な態様による、ワイヤレス通信システム１００のブロック図が示されている。ワイヤレス通信システム１００は、複数の基地局（たとえば、ｅＮＢ、またはワイヤレスローカルエリアネットワーク（ＷＬＡＮ）アクセスポイント）１０５と、いくつかのユーザ機器（ＵＥ）１１５と、コアネットワーク１３０とを含み得る。基地局１０５のうちのいくつかは、様々な実装形態では（たとえば、ＭＭＥを含む）コアネットワーク１３０またはいくつかの基地局１０５（たとえば、ｅＮＢ）の一部であり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。システム１００は、コアネットワーク１３０と通信しているサービングゲートウェイ（Ｓ−ＧＷ）１４５と通信しているパケットデータネットワークゲートウェイ（Ｐ−ＧＷ）１４０をも含み得る。
【００３４】
[0050]いくつかの実装形態では、基地局１０５のうちのいくつかは、ワイヤードまたはワイヤレス通信リンクであり得るバックホールリンク１３４を介して互いと、直接または間接的のいずれかで、通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、スケジューリング情報、データなどを搬送し得る。
【００３５】
[0051]基地局１０５は、１つまたは複数の基地局アンテナを介してＵＥ１１５とワイヤレス通信し得る。基地局１０５の各々は、それぞれのカバレージエリア１１０に通信カバレージを与え得る。いくつかの実装形態では、基地局１０５は、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、ＷｉＦｉ（登録商標）ノードまたは何らかの他の好適な用語で呼ばれることがある。基地局１０５のためのカバレージエリア１１０は、それぞれのカバレージエリア１１０の一部分のみを構成するセクタ（図示せず）に分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術など、異なる無線技術を利用し得る。基地局１０５は、同じまたは異なるアクセスネットワークまたは事業者展開に関連付けられ得る。同じまたは異なるタイプの基地局１０５のカバレージエリアを含み、同じまたは異なる無線技術を利用し、および／あるいは同じまたは異なるアクセスネットワークに属する、異なる基地局１０５のカバレージエリア１１０は重複し得る。カバレージエリア１１０は、図１に示されているように、マクロセルおよびスモールセル（たとえば、フェムトセル、ピコセルなど）など、セルを定義すると考えられ得る。簡単のためにそれぞれのカバレージエリア内に単一のＵＥ１１５のみをもつスモールセルが示されているが、任意の数のＵＥ１１５がスモールセルのカバレージエリア内にあり得ることを理解されたい。
【００３６】
[0052]コアネットワーク１３０は、バックホール１３２（たとえば、Ｓ１アプリケーションプロトコルなど）を介して基地局１０５と通信し得る。基地局１０５はまた、バックホールリンク１３４（たとえば、Ｘ２アプリケーションプロトコルなど）を介しておよび／またはバックホール１３２を介して（たとえば、コアネットワーク１３０を通して）直接または間接的に互いと通信し得る。ワイヤレス通信システム１００は同期動作または非同期動作をサポートし得る。同期動作の場合、基地局は同様のフレームタイミングおよび／またはゲーティングタイミングを有し得、異なる基地局からの送信は近似的に時間的に整合され得る。非同期動作の場合、基地局は異なるフレームタイミングおよび／またはゲーティングタイミングを有し得、異なる基地局からの送信は時間的に整合されないことがある。本明細書で説明する技法は、同期動作または非同期動作のいずれかのために使用され得る。
【００３７】
[0053]ＵＥ１１５は、ワイヤレス通信システム１００全体にわたって分散され得、各ＵＥ１１５は固定または移動であり得る。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーまたは他のワイヤレスワイドエリアネットワーク（ＷＷＡＮ）アクセスネットワーク、あるいはＷＬＡＮアクセスネットワークなど、異なるアクセスネットワークを介して通信することも可能であり得る。
【００３８】
[0054]ワイヤレス通信システム１００に示されている通信リンク１２５は、（たとえば、ＵＥ１１５から基地局１０５への）アップリンク（ＵＬ）送信を搬送するためのアップリンクおよび／または（たとえば、基地局１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、認可スペクトル（たとえば、ＬＴＥ）、無認可スペクトル、またはその両方を使用して行われ得る。同様に、アップリンク送信は、認可スペクトル（たとえば、ＬＴＥ）、無認可スペクトル、またはその両方を使用して行われ得る。
【００３９】
[0055]いくつかの実装形態では、ワイヤレス通信システム１００のＵＥ１１５は、互いと直接通信するように構成され得る。たとえば、第１のＵＥ１１５−ａは、通信リンク１２５−ａ（たとえば、Ｄ２Ｄ通信）を介して第２のＵＥ１１５−ｂと通信し得る。Ｄ２Ｄ通信をサポートするものとして第１のＵＥ１１５−ａおよび第２のＵＥ１１５−ｂのみが図１に示されているが、ワイヤレス通信システム１００の他のＵＥ１１５が、同様にＤ２Ｄ通信のために構成され得ることを理解されたい。したがって、第１のＵＥ１１５−ａは、ＵＥ１１５のうちの追加のものと通信し得る。さらに、複数のＵＥ１１５は、メッシュネットワークなどのＤ２Ｄネットワークを形成し得る。
【００４０】
[0056]上記で説明したように、ベアラのセットは、所与のＵＥ１１５のための意図された通信のために確立され得る。Ｄ２Ｄ通信の場合、たとえば、第１のＵＥ１１５−ａは、ベアラのセットのすべてのベアラを必要とするとは限らない。したがって、ベアラのセットの少なくとも１つのベアラが中断され得る。たとえば、デフォルトＥＰＳベアラ以外のＥＰＳベアラは、第２のＵＥ１１５−ｂとのＤ２Ｄ通信のためにセットアップされているとき、第１のＵＥ１１５−ａにおいてローカルで中断され得る。そのような中断は、ネットワークリソースを節約し得る。
【００４１】
[0057]一例では、モバイルデバイス、たとえば、システム１００のＵＥ１１５は、Ｄ２Ｄ通信を介して別のモバイルデバイスと直接通信するためにセットアップされ得る。モバイルデバイスは、Ｄ２Ｄ通信に対応するサービスタイプを示す接続要求、たとえば、拡張サービス要求（ＥＳＲ）を送り得る。ベアラのセットは、Ｄ２Ｄ通信のために確立され得る。ＥＳＲは、アクティブであるべきであるベアラのセットのＥＰＳベアラのサブセットを示す発展型パケットシステム（ＥＰＳ）ベアラコンテキストステータス情報要素（ＩＥ）をさらに含み得る。たとえば、ＩＥは、アクティブであるべきデフォルトＥＰＳベアラを示し得る。
【００４２】
[0058]モバイルデバイスが関連するネットワークのＭＭＥは、基地局、たとえば、ｅＮＢを介してベアラの中断を通知され得る。ＭＭＥは、ＥＰＳベアラコンテキストステータスＩＥにおいて、ＵＥによってアクティブとして示されないＥＰＳベアラを中断し得る。ＭＭＥは、たとえば、サービングゲートウェイ（Ｓ−ＧＷ）にベアラの中断を通知するためのメッセージを関連するＳ−ＧＷに送ることによって、これらのＥＰＳベアラを保存し、中断し得る。次に、Ｓ−ＧＷが、関連するパケットデータネットワークゲートウェイ（ＰＤＮ−ＧＷまたはＰ−ＧＷ）にベアラの中断を通知するためのメッセージを、Ｐ−ＧＷに送り得る。
【００４３】
[0059]ＵＥは、基地局とともにデフォルト無線ベアラまたはデータ無線ベアラ（ＤＲＢ）を確立し得る。デフォルトＤＲＢの確立時に、ＵＥは、対応する無線ベアラがそれのために確立されていないＥＰＳベアラ（たとえば、デフォルトＥＰＳベアラ以外のベアラのセットのＥＰＳベアラ）をローカルで中断し得る。
【００４４】
[0060]図２に、モバイルデバイスまたはＵＥ１１５−ｃのためのＤ２Ｄ通信をセットアップするために関与し得る通信およびアクションの一例２００を示す図を示す。ＵＥ１１５−ｃは、Ｄ２Ｄプロトコル構成要素２０５と、非アクセス層（ＮＡＳ）構成要素２１０と、無線リソース制御（ＲＲＣ）構成要素２１５と、媒体アクセス制御（ＭＡＣ）構成要素２２０とを含み得る。ＵＥ１１５−ｃは、図１に示されているＵＥ１１５のうちの１つの一例であり得る。
【００４５】
[0061]図１に示されている基地局１０５のうちの１つの一例であり得る、基地局またはｅＮＢ２２５が例２００に示されている。また、図１に示されているコアネットワーク１３０の一部であり得る、ＭＭＥ２３０が示されている。さらに、図１に示されているＳ−ＧＷ１４５およびＰ−ＧＷ１４０のそれぞれの例であり得る、サービングゲートウェイ（Ｓ−ＧＷ）２３５およびパケットデータネットワークゲートウェイ（Ｐ−ＧＷ）２４０が示されている。
【００４６】
[0062]Ｄ２Ｄプロトコル２０５は、たとえば、ＵＥ１１５−ｃが直接発見のためのリソース割振りを必要とするとき、メッセージ２４５をＮＡＳ２１０に送ることによって、Ｄ２Ｄセットアッププロセスを開始し得る。メッセージ２４５は、（たとえば、Ｄ２Ｄ通信のための）サービスタイプを示し、発展型パケットシステム（ＥＰＳ）ベアラコンテキストステータス情報要素（ＩＥ）を含む、拡張サービス要求（ＥＳＲ）であり得る。ＩＥは、アクティブであるべきであるＥＰＳベアラのサブセットを示し得る（示されていないＥＰＳベアラが中断され得ることを意味する）。ＮＡＳ２１０は、ＥＳＲをフォワーディングするメッセージ２４７をＲＲＣ２１５に送り得る。ＲＲＣ２１５は、メッセージ２４９（たとえば、ＥＳＲに対応するＲＲＣ接続要求）をＭＡＣ２２０に送り得、ＭＡＣ２２０は、次いで、ＵＥ１１５−ｃとｅＮＢ２２５との間のＲＲＣ接続をセットアップするために、ｅＮＢ２２５とのランダムアクセスプロシージャ２５０を開始し得る。ＲＣＣ接続セットアップが確立されると、ＲＲＣ２１５は、ＲＲＣ接続が完了したことを示すためのおよび／またはＲＲＣ２１５がＮＡＳ２１０から受信したＥＳＲをフォワーディングするためのメッセージ２５２を、ｅＮＢ２２５に送り得る。
【００４７】
[0063]ｅＮＢ２２５は、ＥＳＲをＭＭＥ２３０にフォワーディングするためのメッセージ２５５（たとえば、Ｓ１−ＡＰ：初期ＵＥメッセージ）を、ＭＭＥ２３０に送り得る。示されたサービスタイプをもつＥＳＲがＭＭＥ２３０によって受け付けられる場合、ＭＭＥ２３０は、ＵＥコンテキスト修正要求を与えるためのメッセージ２６０をｅＮＢ２２５に送ることによって、応答し得る。ｅＮＢ２２５は、ＵＥコンテキスト修正要求に従ってＲＲＣ接続を再構成するためのメッセージ２６５を、ＲＲＣ２１５に送り得る。ＲＲＣ２１５は、次いで、データ無線ベアラ（ＤＲＢ）を構成する（たとえば、ＥＳＲによってアクティブであるべきであると示されたＥＰＳベアラの各々のためにパケットデータコンバージェンスプロトコル（ＰＤＣＰ）および無線リンク制御（ＲＬＣ）を構成する）ために、ＤＲＢ構成プロシージャ２７０を開始し得る。たとえば、ＥＳＲ中に含まれるＥＰＳベアラコンテキストステータスＩＥは、デフォルトＥＰＳベアラのみがアクティブであるべきであることを示し得る。そのような場合、ＤＲＢ構成プロシージャ２７０は、デフォルトＥＰＳベアラに対応するデフォルトＤＲＢのみを確立し得る。
【００４８】
[0064]ＤＲＢ構成プロシージャ２７０が完了されると、ＲＲＣ２１５は、ＥＰＳベアラ識別情報（たとえば、（１つまたは複数の）ＥＰＳベアラおよび対応する（１つまたは複数の）ＤＲＢ）を示すためのメッセージ２７２を、ＮＡＳ２１０に送り得る。それのためにＥＰＳベアラ識別情報による対応するＤＲＢがないすべてのＥＰＳベアラが、ＵＥ１１５−ｃによってローカルで中断され得る。
【００４９】
[0065]ＲＲＣ２１５はまた、ＲＲＣ接続再構成が完了したことを示すためのメッセージ２７５を、ｅＮＢ２２５に送り得る。次いで、ｅＮＢ２２５は、ＵＥコンテキスト修正が完了したことを示すための、メッセージ２６０に応答するメッセージ２８０を、ＭＭＥ２３０に送り得る。ＭＭＥ２３０は、ＵＥ１１５−ｃが、中断された／示されたＥＰＳベアラのための中断されたステータスにあることを、ＵＥコンテキスト中に記憶し得る。ＭＭＥ２３０は、Ｓ−ＧＷ２３５にＵＥ１１５−ｃのために中断されたベアラを通知するためのメッセージ２８５（たとえば、中断通知メッセージ）を、Ｓ−ＧＷ２３５に送り得る。次に、Ｓ−ＧＷ２３５は、Ｐ−ＧＷ２４０に中断されたベアラを通知するためのメッセージ２９０を、Ｐ−ＧＷ２４０に送り得る。したがって、Ｐ−ＧＷ２４０は、ＵＥ１１５−ｃのための中断されたＥＰＳベアラ上で受信されたパケット（たとえば、データ）を廃棄するように構成され得る。
【００５０】
[0066]代替的に、ＭＭＥ２３０は、ベアラ中断に関してＳ−ＧＷ２３５に通知しないことがある。そのような場合、中断された（１つまたは複数の）ベアラ上で受信されたＵＥ１１５−ｃのためのダウンリンクデータ（図示せず）は、Ｓ−ＧＷ２３５を、ダウンリンクデータ通知（同じく図示されていない）をＭＭＥ２３０に送るようにトリガし得る。（たとえば、中断されたとマークされ、ＵＥ１１５−ｃのためのＵＥコンテキスト中に記憶された）中断されたベアラの知識を用いて、ＭＭＥ２３０は、以下でさらに説明するような、ダウンリンクデータのための好適なアクションを取るように構成され得る。
【００５１】
[0067]ベアラ中断に関してＳ−ＧＷ２３５に通知することの別の代替として、ＭＭＥ２３０は、各中断されたベアラのためのサービス品質（ＱｏＳ）構成を変更し得る。たとえば、ＭＭＥ２３０は、中断された（１つまたは複数の）ベアラのそのような修正を要求するためのメッセージ（図示せず）を、Ｓ−ＧＷ２３５（またはＰ−ＧＷ２４０）に送り得る。そのような場合、中断された（１つまたは複数の）ベアラ上で受信されたＵＥ１１５−ｃのためのダウンリンクデータ（図示せず）は、保留中のダウンリンクデータをもつ中断された（１つまたは複数の）ベアラが、中断からアクティブにされるか、または再開され得るように、Ｓ−ＧＷ２３５（またはＰ−ＧＷ２４０）を、ベアラＱｏＳ更新プロシージャを用いてベアラ修正を開始するようにトリガし得る。
【００５２】
[0068]セットアッププロセスがＵＥ１１５−ｃにおいて完了すると、Ｄ２Ｄ通信プロシージャ２９５は、（たとえば、発見、関連付けおよびデータ通信を含む）別のＵＥとのＤ２Ｄ通信を行うために、（たとえば、Ｄ２Ｄプロトコル２０５を介して）ＵＥ１１５−ｃによって実行され得る。図２には示されていないが、Ｄ２Ｄプロトコル２０５は、ＵＥ１１５−ｃのＤ２Ｄ状態への遷移が成功していることを通知され得る。たとえば、ＮＡＳ２１０は、トリガまたは他のメッセージを、（たとえば、メッセージ２７２を用いて）Ｄ２Ｄプロトコル２０５に送り得、および／あるいは、Ｄ２Ｄプロトコル２０５は、状態（たとえば、ＮＡＳ２１０の状態）を、確認するために検査し得る。
【００５３】
[0069]図３に、モバイルデバイスまたはＵＥ１１５−ｄのためのＤ２Ｄ通信をセットアップするために関与し得る通信およびアクションの別の例３００を示す図を示す。ＵＥ１１５−ｄは、Ｄ２Ｄプロトコル構成要素３０５と、非アクセス層（ＮＡＳ）構成要素３１０と、無線リソース制御（ＲＲＣ）構成要素３１５と、媒体アクセス制御（ＭＡＣ）構成要素３２０とを含み得る。ＵＥ１１５−ｄは、図１に示されているＵＥ１１５のうちの１つの一例であり得る。（図２の）例２００では、ＵＥがＥＰＳベアラを中断するが、例３００では、ｅＮＢが適切な無線ベアラを中断する。
【００５４】
[0070]図１に示されている基地局１０５のうちの１つの一例であり得る、基地局またはｅＮＢ３２５が例３００に示されている。また、図１に示されているコアネットワーク１３０の一部であり得る、ＭＭＥ３３０が示されている。
【００５５】
[0071]Ｄ２Ｄプロトコル３０５は、たとえば、ＵＥ１１５−ｄが直接発見のためのリソース割振りを必要とするとき、メッセージ３３５をＮＡＳ３１０に送ることによって、Ｄ２Ｄセットアッププロセスを開始し得る。メッセージ３３５は、（たとえば、Ｄ２Ｄ通信のための）サービスタイプを示すサービス要求（ＳＲ）であり得る。ＮＡＳ３１０は、ＳＲをフォワーディングするメッセージ３３７をＲＲＣ３１５に送り得る。ＲＲＣ３１５は、メッセージ３３９（たとえば、ＳＲに対応するＲＲＣ接続要求）をＭＡＣ３２０に送り得、ＭＡＣ３２０は、次いで、ＵＥ１１５−ｄとｅＮＢ３２５との間のＲＲＣ接続をセットアップするために、ｅＮＢ３２５とのランダムアクセスプロシージャ３４０を開始し得る。ＲＣＣ接続セットアップが確立されると、ＲＲＣ３１５は、ＲＲＣ接続が完了したことを示すためおよび／またはＲＲＣ３１５がＮＡＳ３１０から受信したＳＲをフォワーディングするためのメッセージ３４２を、ｅＮＢ３２５に送り得る。
【００５６】
[0072]ｅＮＢ３２５は、ＳＲをＭＭＥ３３０にフォワーディングするためのメッセージ３４５（たとえば、Ｓ１−ＡＰ：初期ＵＥメッセージ）を、ＭＭＥ３３０に送り得る。ＳＲがＭＭＥ３３０によって受け付けられる場合、ＭＭＥ３３０は、ＵＥコンテキストセットアップ要求を与えるためのメッセージ３５０をｅＮＢ３２５に送ることによって、応答し得る。ｅＮＢ３２５は、ＵＥコンテキストセットアップ要求に従ってＲＲＣ接続を再構成するためのメッセージ３５５を、ＲＲＣ３１５に送り得る。しかしながら、ｅＮＢ３２５は、ＳＲが（たとえば、Ｄ２Ｄ通信のために）すべてのベアラを必要とするとは限らないサービスタイプのためのものであることを知っているので、ｅＮＢ３２５は、ＤＲＢが確立されるべきでないことをメッセージ３５５中で示し得る。むしろ、ＲＲＣ３１５は、ダミーＤＲＢを構成する（たとえば、ダミーＰＤＣＰとダミーＲＬＣとを構成する）ために、ダミーＤＲＢ構成プロシージャ３６０を開始し得る。
【００５７】
[0073]ダミーＤＲＢ構成プロシージャ３６０が完了されると、ＲＲＣ３１５は、（ＮＡＳ３１０がそれのタイマーを停止し、ＲＲＣ３１５との接続状態に遷移するように）ＥＰＳベアラ識別情報を示すためのメッセージ３６２を、ＮＡＳ３１０に送り得る。ＲＲＣ３１５はまた、ＲＲＣ接続再構成が完了したことを示すためのメッセージ３６５を、ｅＮＢ３２５に送り得る。次いで、ｅＮＢ３２５は、（たとえば、ＤＲＢが確立されたかのようにすべてのベアラについて成功で）ＵＥコンテキストセットアップが完了したことを示すための、メッセージ３５０に応答するメッセージ３７０をＭＭＥ３３０に送り得る。
【００５８】
[0074]セットアッププロセスがＵＥ１１５−ｄにおいて完了すると、Ｄ２Ｄ通信プロシージャ３７５は、（たとえば、発見、関連付けおよびデータ通信を含む）別のＵＥとのＤ２Ｄ通信を行うために、（たとえば、Ｄ２Ｄプロトコル３０５を介して）ＵＥ１１５−ｄによって実行され得る。図３には示されていないが、Ｄ２Ｄプロトコル３０５は、ＵＥ１１５−ｄのＤ２Ｄ状態への遷移が成功していることを通知され得る。たとえば、ＮＡＳ３１０は、トリガまたは他のメッセージを、（たとえば、メッセージ３６２を用いて）Ｄ２Ｄプロトコル３０５に送り得、および／あるいは、Ｄ２Ｄプロトコル３０５は、状態（たとえば、ＮＡＳ３１０の状態）を、確認するために検査し得る。
【００５９】
[0075]異なる手法について図２および図３に関して説明したが、これらの手法の様々な態様がさらなる実装形態を取得するために組み合わせられ得ることを理解されたい。たとえば、図２のＮＡＳベースの中断動作は、図３を参照しながら説明したように、ＲＲＣに送られた新しいインジケーションと組み合わせられ得る。そのような場合、デフォルトベアラは、オーバージエアで確立される必要がないダミーベアラと置き換えられ得る。したがって、無線リソースの追加の節約（およびより少ないｅＮＢ処理）が達成され得る。
【００６０】
[0076]（例２００、例３００、または例２００と例３００との組合せのいずれかを使用してベアラが中断されると、いくつかの中断されたベアラはアクティブにされる必要を有し得る。前に中断されたベアラの再アクティブ化について、図４、図５、および図６を参照しながら説明する。
【００６１】
[0077]図４に、アップリンク通信のためにＵＥ１１５−ｅをリセットするために関与し得る通信およびアクションの一例４００を示す図を示す。この例４００では、ＵＥ１１５−ｅは、図３中のＵＥ１１５−ｄに関して説明したように、Ｄ２Ｄ通信のためにセットアップされている。したがって、図３のｅＮＢベースの中断は、例４００の開始より前に実装されていることがある。
【００６２】
[0078]ＵＥ１１５−ｅは、アプリケーション４０５（たとえば、ＵＥの特定のアプリケーションまたは通信マネージャ）と、ダミーＰＤＣＰ構成要素４１０と、無線リソース制御（ＲＲＣ）構成要素４１５と、媒体アクセス制御（ＭＡＣ）構成要素４２０とを含み得る。ＵＥ１１５−ｅは、図１に示されているＵＥ１１５のうちの１つの一例であり得る。
【００６３】
[0079]図１に示されている基地局１０５のうちの１つの一例であり得る、基地局またはｅＮＢ４２５が例４００に示されている。また、図１に示されているサービングゲートウェイ（Ｓ−ＧＷ）１４５の一例であり得る、Ｓ−ＧＷ４３０が示されている。
【００６４】
[0080]送るべきデータ（たとえば、アップリンクデータ）を有するとき、アプリケーション４０５は、メッセージ４３５をダミーＰＤＣＰ４１０に送り得る。メッセージ４３５は送られるべきデータを含み得る。ダミーＰＤＣＰ４１０は、データが送られるべきであることを示すメッセージ４４０を、ＲＲＣ４１５に送り得る。しかしながら、ＰＤＣＰレイヤ（およびＲＬＣレイヤ）はデータを送るように適切に構成されていないので、メッセージ４４０はエラーをトリガし得る。ＲＲＣ４１５は、エラーを認識し、次いで、ＤＲＢが再開されるべきであること（たとえば、Ｄ２Ｄサービスタイプ構成が中止されるべきであること）を示すためのメッセージ４４５（たとえば、送られるべきデータのためのサービスタイプに対応するコードをもつ、リソース割振りのために定義されたＵＥ支援情報メッセージ）を、ｅＮＢ４２５に送り得る。エラーを識別するためのＰＤＣＰ４１０とＲＲＣ４１５との間の対話は、実装形態固有であり得る。
【００６５】
[0081]メッセージ４４５に応答して、ｅＮＢ４２５は、送られるべきデータのための（１つまたは複数の）ＤＲＢをセットアップするためにＲＲＣ接続再構成プロシージャ４５５を実行するためのメッセージ４５０を、ＲＲＣ４１５に送り得る。たとえば、メッセージ４４５は、アップリンクデータのために構成され、使用されるべき（１つまたは複数の）ＤＲＢを示し得る。プロシージャ４５５は、（１つまたは複数の）ＰＤＣＰを再確立することと、示された（１つまたは複数の）ＤＲＢのための（１つまたは複数の）ＲＬＣを再構成することとを伴い得る。プロシージャ４５５の完了時に、ＲＲＣ４１５は、ＲＲＣ接続再構成が完了したことを示すためのメッセージ４６０を、ｅＮＢ４２５に送り得る。アップリンクデータは、次いで、（ダミーＰＤＣＰ４１０を置き換える）再確立されたＰＤＣＰから、メッセージ４６５を介してｅＮＢ４２５に送られ得る。ｅＮＢ４２５は、アップリンクデータをメッセージ４７０を介してＳ−ＧＷ４３０に送り得、Ｓ−ＧＷ４３０は、そのデータをそれの（１つまたは複数の）宛先にフォワーディングし得る。
【００６６】
[0082]アップリンクデータがＵＥ１１５−ｅから送られると、ＵＥ１１５−ｅは、たとえば、図３に関して上記で説明した通信およびアクションを繰り返すことによって、Ｄ２Ｄ通信モードに戻され得る。
【００６７】
[0083]ＵＥ１１５−ｅが図２中のＵＥ１１５−ｃに関して説明したようにＤ２Ｄ通信のためにセットアップされているとき、図４の例が適用されないことがある。代わりに、ＵＥ１１５−ｅは、別のサービスタイプを示し、アクティブにされるべき（１つまたは複数の）中断されたベアラを示すＥＰＳベアラコンテキストＩＥを含む、新しい接続要求／ＥＳＲを実装することによって、（デフォルトＥＰＳベアラ以外の（１つまたは複数の）ベアラ中で送られるべきデータをもつ）アップリンク通信のためにリセットされ得る。新しいＥＳＲを受信すると、ＭＭＥ（図４に図示せず）は、示された（１つまたは複数の）ベアラをアクティブにし得る。ＵＥ１１５−ｅは、示された（１つまたは複数の）無線ベアラが確立されたというインジケーションを受信すると、対応する（１つまたは複数の）ＥＰＳベアラをローカルで再開し得る。
【００６８】
[0084]代替的に、ＵＥ１１５−ｅは、ベアラのセットのすべてのベアラをアクティブにするためのトラッキングエリア更新（ＴＡＵ）要求を、ｅＮＢ４２５に送り得る。これは、ＵＥ１１５−ｅが二重転送モード（ＤＴＭ）なしにＧＳＭ（登録商標）／Ｅｄｇｅ無線アクセスネットワーク（ＧＥＲＡＮ：GSM（登録商標）/Edge radio access network）からＬＴＥへの遷移を実行することと同様であり得る。
【００６９】
[0085]図５に、ダウンリンク通信のためにＵＥ１１５−ｆをリセットするために関与し得る通信およびアクションの一例５００を示す図を示す。この例５００では、ＵＥ１１５−ｆは、図２中のＵＥ１１５−ｃに関して説明したように、Ｄ２Ｄ通信のためにセットアップされている。したがって、図２のＮＡＳまたはＵＥベースの中断は、例５００の開始より前に実装されていることがある。
【００７０】
[0086]ＵＥ１１５−ｆは、アプリケーション５０５（たとえば、ＵＥの特定のアプリケーションまたは通信マネージャ）と、ＰＤＣＰ構成要素５１０と、無線リソース制御（ＲＲＣ）構成要素５１５とを含み得る。ＵＥ１１５−ｆは、図１に示されているＵＥ１１５のうちの１つの一例であり得る。
【００７１】
[0087]図１に示されている基地局１０５のうちの１つの一例であり得る、基地局またはｅＮＢ５２０が例５００に示されている。また、図１に示されているコアネットワーク１３０の一部であり得る、ＭＭＥ５２５が示されている。図１に示されているサービングゲートウェイ（Ｓ−ＧＷ）１４５の一例であり得る、Ｓ−ＧＷ５３０が同様に示されている。
【００７２】
[0088]Ｓ−ＧＷ５３０がＭＭＥ５２５によってベアラ中断に関して通知されない場合、Ｓ−ＧＷ５３０において中断された（１つまたは複数の）ベアラ上でのＵＥ１１５−ｆのためのダウンリンクデータの受信は、Ｓ−ＧＷ５３０を、メッセージ５３５（たとえば、ダウンリンクデータ通知）をＭＭＥ５２５に送るようにトリガし得る。（たとえば、中断されたとマークされ、ＵＥ１１５−ｃのためのＵＥコンテキスト中に記憶された）中断されたベアラの知識を用いて、ＭＭＥ５２５は、ダウンリンクデータのための（１つまたは複数の）ベアラをセットアップするためのメッセージ５４０（たとえば、Ｓ１−ＡＰ  ＥＰＳベアラ／Ｅ−ＲＡＢセットアップ要求メッセージ）を、ｅＮＢ５２０に送り得る。メッセージ５４０に応答して、ｅＮＢ５２０は、受信されるべきデータのための（１つまたは複数の）ＤＲＢをセットアップするためにＲＲＣ接続再構成プロシージャ５５０を実行するためのメッセージ５４５を、ＲＲＣ５１５に送り得る。たとえば、メッセージ５４５は、ダウンリンクデータのために構成され、使用されるべき（１つまたは複数の）ＤＲＢを示し得る。プロシージャ５５０は、（１つまたは複数の）ＰＤＣＰを再確立することと、示された（１つまたは複数の）ＤＲＢのための（１つまたは複数の）ＲＬＣを再構成することとを伴い得る。
【００７３】
[0089]プロシージャ５５０の完了時に、ＲＲＣ５１５は、ＲＲＣ接続再構成が完了したことを示すためのメッセージ５５５を、ｅＮＢ５２０に送り得る。ｅＮＢ５２０は、次いで、ダウンリンクデータのための（１つまたは複数の）ベアラがセットアップされたことを示すためのメッセージ５６０（たとえば、Ｓ１−ＡＰ  ＥＰＳベアラ／Ｅ−ＲＡＢセットアップ応答メッセージ）を、ＭＭＥ５２５に送り得る。次いで、ＭＭＥ５２５は、適宜にＳ−ＧＷ５３０を構成するためのメッセージ（たとえば、ベアラ修正要求メッセージ）５６５を、Ｓ−ＧＷ５３０に送り得る。ダウンリンクデータは、次いで、Ｓ−ＧＷ５３０からメッセージ５７０を介してｅＮＢ５２０に送られ得る。ｅＮＢ５２０は、ダウンリンクデータをメッセージ５７５を介して（再確立された）ＰＤＣＰ５１０に送り得、ＰＤＣＰ５１０は、そのダウンリンクデータをメッセージ５８０を介してアプリケーション５０５にフォワーディングし得る。
【００７４】
[0090]代替的に、ＭＭＥ５２５からｅＮＢ５２０へのメッセージ５４０は、たとえば、接続モードページングメッセージ（たとえば、パケット交換（ＰＳ）サービス通知を与える新しいＮＡＳメッセージ）であり得る。ｅＮＢ５２０は、次いで、ＵＥ１１５−ｆを、ＥＰＳベアラコンテキストステータスＩＥにおいてアクティブであるべきであると示された中断されたＥＰＳベアラをもつ新しいＥＳＲを送るようにトリガするためのメッセージ（図示せず）を、ＵＥ１１５−ｆに送り得る。そのような場合、ＵＥ１１５−ｆは、ダウンリンクデータを受信するために、（好適なランダムアクセスプロシージャ、ＤＲＢ構成プロシージャなどを用いて）セットアップされ得る。
【００７５】
[0091]ダウンリンクデータがＵＥ１１５−ｆによって受信されると、ＵＥ１１５−ｆは、たとえば、図２に関して上記で説明した通信およびアクションを繰り返すことによって、Ｄ２Ｄ通信モードに戻され得る。
【００７６】
[0092]図６に、ダウンリンク通信のためにＵＥ１１５−ｇをリセットするために関与し得る通信およびアクションの別の例６００を示す図を示す。この例６００では、ＵＥ１１５−ｇは、図３中のＵＥ１１５−ｄに関して説明したように、Ｄ２Ｄ通信のためにセットアップされている。したがって、図３のｅＮＢベースの中断は、例６００の開始より前に実装されていることがある。
【００７７】
[0093]ＵＥ１１５−ｇは、アプリケーション６０５（たとえば、ＵＥの特定のアプリケーションまたは通信マネージャ）と、ダミーＰＤＣＰ構成要素６１０と、無線リソース制御（ＲＲＣ）構成要素６１５とを含み得る。ＵＥ１１５−ｇは、図１に示されているＵＥ１１５のうちの１つの一例であり得る。
【００７８】
[0094]図１に示されている基地局１０５のうちの１つの一例であり得る、基地局またはｅＮＢ６２０が例６００に示されている。また、図１に示されているサービングゲートウェイ（Ｓ−ＧＷ）１４５の一例であり得る、Ｓ−ＧＷ６２５が示されている。
【００７９】
[0095]Ｓ１ベアラはすでに確立されているので、Ｓ−ＧＷ６２５におけるＵＥ１１５−ｇのためのダウンリンクデータの受信は、メッセージ６３０を介してｅＮＢ６２０にフォワーディングされ得る。確立されたＤＲＢのないＥＰＳベアラのためのｅＮＢ６２０におけるダウンリンクデータの到着時に、ｅＮＢ６２０はダウンリンクデータをバッファし得る。ｅＮＢ６２０は、次いで、受信されるべきデータのための（１つまたは複数の）ＤＲＢをセットアップするためにＲＲＣ接続再構成プロシージャ６４０を実行するためのメッセージ６３５を、ＲＲＣ６１５に送り得る。たとえば、メッセージ６３５は、ダウンリンクデータのために構成され、使用されるべき（１つまたは複数の）ＤＲＢを示し得る。プロシージャ６４０は、（１つまたは複数の）ＰＤＣＰを再確立することと、示された（１つまたは複数の）ＤＲＢのための（１つまたは複数の）ＲＬＣを再構成することとを伴い得る。プロシージャ６４０の完了時に、ＲＲＣ６１５は、ＲＲＣ接続再構成が完了したことを示すためのメッセージ６４５を、ｅＮＢ６２０に送り得る。バッファされたダウンリンクデータは、次いで、ｅＮＢ６２０からメッセージ６５０を介して（ダミーＰＤＣＰ６１０を置き換える）再確立されたＰＤＣＰに送られ得る。再確立されたＰＤＣＰは、ダウンリンクデータを、メッセージ６６５を介してアプリケーション６０５に送り得る。
【００８０】
[0096]ダウンリンクデータがＵＥ１１５−ｇによって受信されると、ＵＥ１１５−ｇは、たとえば、図３に関して上記で説明した通信およびアクションを繰り返すことによって、Ｄ２Ｄ通信モードに戻され得る。
【００８１】
[0097]次に図７Ａを参照すると、本開示の様々な態様による、ワイヤレス通信のために使用され得る装置１１５−ｈのブロック図７００−ａが示されている。いくつかの実装形態では、装置１１５−ｈは、図１、図２、図３、図４、図５および／または図６を参照しながら説明したＵＥ１１５の様々な態様の一例であり得る。装置１１５−ｈはまた、プロセッサであり得る。装置１１５−ｈは、受信機７０５、通信マネージャ７１０、および／または送信機７１５を含み得る。これらの構成要素の各々は互いと通信していることがある。
【００８２】
[0098]装置１１５−ｈの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８３】
[0099]いくつかの実装形態では、受信機７０５は、無線周波数（ＲＦ）受信機であるか、またはそれを含み得る。受信機７０５は、図１を参照しながら説明したワイヤレス通信システム１００の通信リンク１２５など、ワイヤレス通信システムの（１つまたは複数の）通信リンク（たとえば、物理チャネル）を介して、様々なタイプのデータおよび／または制御信号（たとえば、送信）を受信するために使用され得る。
【００８４】
[0100]いくつかの実装形態では、送信機７１５は、ＲＦ送信機であるか、またはそれを含み得る。送信機７１５は、図１を参照しながら説明したワイヤレス通信システム１００の通信リンク１２５など、ワイヤレス通信システムの（１つまたは複数の）通信リンク（たとえば、物理チャネル）を介して、様々なタイプのデータおよび／または制御信号（たとえば、送信）を送信するために使用され得る。
【００８５】
[0101]いくつかの実装形態では、通信マネージャ７１０は、受信機７０５、送信機７１５、またはその両方を使用してワイヤレス通信を管理するために使用され得る。たとえば、通信マネージャ７１０は、図１を参照しながら説明したような、基地局１０５を介したアップリンクおよびダウンリンク方向におけるワイヤレス通信を管理するために使用され得る。通信マネージャ７１０は、装置１１５−ｈと、図１を参照しながら説明したＵＥ１１５などの他のデバイスとの間のワイヤレス通信を直接管理するためにも使用され得る。
【００８６】
[0102]いくつかの実装形態では、通信マネージャ７１０は、異なるサービスタイプのためになど、装置１１５−ｈの、異なる動作モード間の遷移を実装するように構成され得る。上記で説明したように、異なるサービスタイプは異なるベアラ構成を使用し得る。したがって、通信マネージャ７１０は、より良いリソース管理を与えるためにベアラ構成を管理するように構成され得る。たとえば、通信マネージャ７１０は、所与のサービスタイプのために適宜に、ベアラをローカルで中断するように構成され得る。特に、通信マネージャは、図２、図３、図４、図５および／または図６に関して上記で説明したＵＥ１１５のための通信およびアクションを行うために、様々な動作を実装するように構成され得る。したがって、通信マネージャ７１０は、単独で、あるいは受信機７０５と組み合わせて、送信機７１５と組み合わせて、またはその両方と組み合わせて、のいずれかで、そのような通信およびアクションを実行するための手段であり得る。
【００８７】
[0103]図７Ｂに、本開示の様々な態様による、ワイヤレス通信のために使用され得る装置１１５−ｉのブロック図７００−ｂを示す。いくつかの実装形態では、装置１１５−ｉは、図１、図２、図３、図４、図５および／または図６を参照しながら説明したＵＥ１１５、ならびに／あるいは図７Ａを参照しながら説明した装置１１５−ｈの様々な態様の一例であり得る。装置１１５−ｉはまた、プロセッサであり得る。装置１１５−ｉは、受信機７０５−ａ、通信マネージャ７１０−ａ、および／または送信機７１５−ａを含み得る。装置１１５−Ｉは、サービスタイプインジケータ７２０、接続要求生成器７２５および／またはベアラマネージャ７３０をも含み得る。これらの構成要素の各々は互いと通信していることがある。
【００８８】
[0104]装置１１５−ｉの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８９】
[0105]いくつかの実装形態では、受信機７０５−ａおよび送信機７１５−ａは、図７Ａに関して説明したように構成され得る。通信マネージャ７１０−ａも、図７Ａに関して説明したように構成され得る。さらに、通信マネージャ７１０−ａは、サービスタイプインジケータ７２０を含むか、またはそれと協働し得る。
【００９０】
[0106]サービスタイプインジケータ７２０は、所与のアプリケーションまたは所与の通信のためのサービスのタイプを決定するか、あるいはさもなければ、それを示すように構成され得る。たとえば、上記で説明したように、サービスタイプインジケータ７２０は、Ｄ２Ｄ通信のためのあるサービスタイプと、基地局またはｅＮＢを介した通信のための別のサービスタイプとを示し得る。概して、異なるベアラ構成の必要を有する通信のために異なるサービスタイプが示され得る。したがって、Ｄ２Ｄ通信は、すべてのベアラが構成される必要があるとは限らないサービスタイプの一例にすぎないことを理解されたい。
【００９１】
[0107]サービスタイプインジケータ７２０は、実装されるべき現在のサービスタイプに関して、通信マネージャ７１０−ａに通知し得る。通信マネージャは、次いで、たとえば、図２および図３に関して上記で説明したように、サービス要求（ＳＲ）または拡張サービス要求（ＥＳＲ）などの接続要求を生成するか、またはさもなければそれを作成するように、接続要求生成器７２５に命令するか、あるいはさもなければ、それを制御し得る。したがって、生成された接続要求は、サービスタイプを示し得、また、（たとえば、ＥＰＳベアラコンテキストステータスＩＥを介して）アクティブであるべきであるＥＰＳベアラのサブセットを示し得る。接続要求生成器７２５は、生成された接続要求を、直接、送信のための送信機７１５−ａに、またはそれの送信を管理するための通信マネージャ７１０−ａに与え得る。
【００９２】
[0108]また、通信マネージャ７１０−ａは、示されたサービスタイプのための好適なベアラ構成を実装するために、ベアラマネージャ７３０と協働し得る。したがって、ベアラマネージャ７３０が、図２および／または図３に関して上記で説明したようにＤＲＢ（ＰＤＣＰおよびＲＬＣ）を構成するように、ならびに図４、図５および／または図６に関して上記で説明したように再構成／再確立するように、構成され得ることを理解されたい。たとえば、図２を参照すると、受信機７０５−ａは、ｅＮＢ２２５からメッセージ２６５を受信し、通信マネージャ７１０−ａにメッセージ２６５を与え得る。通信マネージャ７１０−ａは、メッセージ２６５に従ってＤＲＢ構成プロシージャ２７０を実行するように、ベアラマネージャ７３０に命令するか、またはさもなければ、それと協働し得る。プロシージャ２７０の完了時に、通信マネージャ７１０−ａは、送信機７１５−ａに、メッセージ２７５をｅＮＢ２２５に送らせることがあり、ＮＡＳ２１０にメッセージ２７２を与えることがある。
【００９３】
[0109]したがって、ベアラマネージャ７３０は、単独でまたは通信マネージャ７１０−ａと組み合わせてのいずれかで、ベアラのセットを確立するための手段、ベアラを構成、再構成、またはアクティブにするための手段、および／あるいは本明細書で説明するようにベアラを中断するための手段であり得る。
【００９４】
[0110]図８に、本開示の様々な態様による、ワイヤレス通信のために構成されたＵＥ１１５−ｊのためのアーキテクチャの一例を示すブロック図８００を示す。ＵＥ１１５−ｊは、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ１１５−ｊは、場合によっては、モバイル動作を可能にするために、小型バッテリーなどの内部電源（図示せず）を有し得る。いくつかの実施形態では、ＵＥ１１５−ｊは、図７Ａおよび／または図７Ｂを参照しながら説明した装置１１５−ｈおよび／または１１５−ｉ、ならびに／あるいは図１を参照しながら説明したＵＥ１１５の、様々な態様の一例であり得る。ＵＥ１１５−ｊは、図１、図２、図３、図４、図５および／または図６を参照しながら説明した特徴および機能のうちの少なくともいくつかを実装するように構成され得る。ＵＥ１１５−ｊは、図１を参照しながら説明した基地局１０５および他のＵＥ１１５と通信するように構成され得る。
【００９５】
[0111]ＵＥ１１５−ｊは、プロセッサ８０５、メモリ８１０、通信マネージャ８２０、ベアラマネージャ８２５、少なくとも１つのトランシーバ８３０、および／または少なくとも１つのアンテナ８３５を含み得る。これらの構成要素の各々は、バス８４０を介して、直接または間接的に互いと通信していることがある。
【００９６】
[0112]メモリ８１０は、ランダムアクセスメモリ（ＲＡＭ）および／または読取り専用メモリ（ＲＯＭ）を含み得る。メモリ８１０は、実行されたとき、プロセッサ８０５に、様々なサービスタイプに従って通信し、それに応じてＵＥ１１５−ｊの態様を構成するための、本明細書で説明する様々な機能を実行させるように構成された命令を含んでいるコンピュータ可読、コンピュータ実行可能ソフトウェア（ＳＷ）コード８１５を記憶し得る。代替的に、ソフトウェアコード８１５は、プロセッサ８０５によって直接的に実行可能でないことがあるが、（たとえば、コンパイルされ、実行されたとき）本明細書で説明する機能のうちのいくつかをＵＥ１１５−ｊに実行させるように構成され得る。
【００９７】
[0113]プロセッサ８０５は、インテリジェントハードウェアデバイス、たとえば、ＣＰＵ、マイクロコントローラ、ＡＳＩＣなどを含み得る。プロセッサ８０５は、（１つまたは複数の）トランシーバ８３０を通して受信された情報および／または（１つまたは複数の）アンテナ８３５を介した送信のために（１つまたは複数の）トランシーバ８３０に送られるべき情報を処理し得る。プロセッサ８０５は、単独でまたは通信マネージャ８２０とともに、様々なサービスタイプに従って通信することの様々な態様を扱い得る。
【００９８】
[0114]（１つまたは複数の）トランシーバ８３０は、パケットを変調し、変調されたパケットを送信のために（１つまたは複数の）アンテナ８３５に与え、（１つまたは複数の）アンテナ８３５から受信されたパケットを復調するように構成されたモデムを含み得る。（１つまたは複数の）トランシーバ８３０は、場合によっては、１つまたは複数の送信機および１つまたは複数の別個の受信機として実装され得る。（１つまたは複数の）トランシーバ８３０は、使用中に特定のサービスタイプに従って通信をサポートし得る。（１つまたは複数の）トランシーバ８３０は、図１を参照しながら説明した（１つまたは複数の）基地局および／または他のＵＥ１１５と、（１つまたは複数の）アンテナ８３５を介して、双方向に通信するように構成され得る。ＵＥ１１５−ｊは単一のアンテナ８３５を含み得るが、ＵＥ１１５−ｊが複数のアンテナ８３５を含み得る実装形態があり得る。
【００９９】
[0115]通信マネージャ８２０は、ワイヤレス通信およびベアラ管理に関係する、図１、図２、図３、図４、図５および／または図６を参照しながら説明した特徴および／または機能の一部または全部を実行し、および／または制御するように構成され得る。たとえば、通信マネージャ８２０は、使用中に特定のサービスタイプに従ってベアラをアクティブにし、および／または中断するように構成され得る。通信マネージャ８２０は、所望の通信をサポートするために、ベアラマネージャ８２５を制御するか、またはさもなければそれと協働するように構成され得る。通信マネージャ８２０は、図７Ａおよび／または図７Ｂを参照しながら説明した通信マネージャ７１０および／または７１０−ａの様々な態様の一例であり得る。通信マネージャ８２０、またはそれの部分は、プロセッサを含み得、ならびに／あるいは通信マネージャ８２０の機能の一部または全部は、プロセッサ８０５によっておよび／またはプロセッサ８０５に関連して実行され得る。
【０１００】
[0116]図９に、様々な実施形態による、ワイヤレス通信構成され得る通信システム９００の一部として、基地局１０５−ａ、たとえば、ｅＮＢのためのアーキテクチャの一例を示すブロック図を示す。システム９００は、図１に示されたシステム１００の態様の一例であり得る。さらに、基地局１０５−ａの態様は、図１の基地局１０５ならびに／あるいは図２、図３、図４、図５および図６のｅＮＢ２２５、３２５、４２５、５２０および／または６２０において実装され得る。基地局１０５−ａは、プロセッサ９０５と、メモリ９１０と、通信マネージャ９２０と、ＲＲＣ接続マネージャ９２５と、ＵＥマネージャ９３０と、バッファ９３５と、（１つまたは複数の）トランシーバ９４０と、（１つまたは複数の）アンテナ９４５とを含み得、これらはそれぞれ、（たとえば、１つまたは複数のバス９５０を介して）互いに、直接または間接的に通信していることがある。（１つまたは複数の）トランシーバ９４０は、（１つまたは複数の）アンテナ９４５を介して、マルチモードモバイルデバイスであり得るＵＥ１１５−ｋと双方向に通信するように構成され得る。（１つまたは複数の）トランシーバ９４０（および／または基地局１０５−ａの他の構成要素）はまた、１つまたは複数のネットワークと双方向に通信するように構成され得る。場合によっては、基地局１０５−ａは、ネットワーク通信コントローラ９５５を通してコアネットワーク１３０−ａと通信し得る。基地局１０５−ａは、ｅノードＢ基地局、ホームｅノードＢ基地局、ノードＢ基地局、および／またはホームノードＢ基地局の一例であり得る。
【０１０１】
[0117]基地局１０５−ａはまた、基地局１０５−ｂおよび基地局１０５−ｃなど、他の基地局１０５と通信し得る。基地局１０５の各々は、異なる無線アクセス技術など、異なるワイヤレス通信技術を使用して、ＵＥ１１５−ｋと通信し得る。場合によっては、基地局１０５−ａは、基地局通信コントローラ９６０を使用して、基地局１０５−ｂおよび／または基地局１０５−ｃなどの他の基地局と通信し得る。いくつかの実施形態では、基地局通信コントローラ９６０は、基地局１０５のうちのいくつかの間の通信を行うために、ＬＴＥ／ＬＴＥ−Ａワイヤレス通信技術内のＸ２インターフェースを与え得る。いくつかの実施形態では、基地局１０５−ａは、コアネットワーク１３０−ａを通して他の基地局と通信し得る。
【０１０２】
[0118]メモリ９１０は、ランダムアクセスメモリ（ＲＡＭ）および読取り専用メモリ（ＲＯＭ）を含み得る。メモリ９１０は、実行されたとき、プロセッサ９０５に、本明細書で説明する様々な機能（たとえば、呼処理、ベアラ管理、ＵＥ管理、メッセージルーティング、エラー識別、アクセス制御など）を実行させるように構成された命令を含んでいるコンピュータ可読、コンピュータ実行可能ソフトウェアコード９１５をも記憶し得る。代替的に、ソフトウェアコード９１５は、プロセッサ９０５によって直接的に実行可能でないことがあるが、たとえば、コンパイルされ実行されると、コンピュータに本明細書で説明する機能を実行させるように構成され得る。
【０１０３】
[0119]プロセッサ９０５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。
【０１０４】
[0120]（１つまたは複数の）トランシーバ９４０は、パケットを変調し、変調されたパケットを送信のために（１つまたは複数の）アンテナ９４５に与え、（１つまたは複数の）アンテナ９４５から受信されたパケットを復調するように構成された１つまたは複数のモデムを含み得る。基地局１０５−ａのいくつかの例は単一のアンテナ９４５を含み得るが、基地局１０５−ａは、好ましくは、キャリアアグリゲーションをサポートし得る複数のリンクのための複数のアンテナ９４５を含む。たとえば、ＵＥ１１５−ｋとのマクロ通信をサポートするために１つまたは複数のリンクが使用され得る。
【０１０５】
[0121]通信マネージャ９２０は、ＵＥ１１５−ｋ、他の基地局１０５−ｂおよび１０５−ｃ、ならびにネットワーク１３０−ａとの通信を管理し得る。例として、通信マネージャ９２０は、バス９５０を介して基地局１０５−ａの他の構成要素の一部または全部と通信している基地局１０５−ａの構成要素であり得る。代替的に、通信マネージャ９２０の機能は、（１つまたは複数の）トランシーバ９４０の構成要素として、コンピュータプログラム製品として、および／またはプロセッサ９０５の１つまたは複数のコントローラ要素として実装され得る。
【０１０６】
[0122]基地局１０５−ａの構成要素は、図１の基地局１０５に関して上記で説明した態様、ならびに、それぞれ、図２、図３、図４、図５および図６のｅＮＢ２２５、３２５、４２５、５２０および／または６２０に関して上記で説明した態様を実装するように構成され得、簡潔のためにここで繰り返さないことがある。たとえば、基地局１０５−ａは、それぞれ、図２および図３に関して説明したランダムアクセスプロシージャ２５０および／または３４０を可能にするために、ＲＲＣ接続マネージャ９２５を含み得る。基地局１０５−ａは、個々のＵＥに関する情報（たとえば、サービスタイプ、ベアラ構成およびステータスなど）を追跡するためのＵＥマネージャ９３０を含み得、個々のＵＥとのベアラ構成を可能にし得る。基地局１０５−ａは、上記で説明したような、まだデータを受信するように構成されていないＵＥを対象とするデータをバッファするためのバッファ９３５を含み得る。
【０１０７】
[0123]図１０は、本開示の様々な態様による、ワイヤレス通信のための方法１０００の一例を示すフローチャートである。特に、方法１０００は、特定のサービスタイプのために必要とされないベアラを中断することによってリソース管理を与え得る。明快のために、方法１０００は、図１、図２、図３、図４、図５、図６および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１０８】
[0124]ブロック１００５において、ＵＥ１１５は、サービスタイプを示す接続要求を送る。ブロック１０１０において、ベアラのセットを確立する。いくつかの実装形態では、ＵＥ１１５は、図１および図９に関して説明した基地局１０５、あるいは、それぞれ、図２、図３、図４、図５および図６に関して説明したｅＮＢ２２５、３２５、４２５、５２０および／または６２０と協働してベアラのセットを確立するように構成され得る。
【０１０９】
[0125]ブロック１０１５において、ＵＥ１１５は、ベアラのセットのベアラを中断する。中断された（１つまたは複数の）ベアラは、示されたサービスタイプに少なくとも部分的に基づき得る。したがって、ＵＥ１１５のためのサービスタイプがベアラのセットのすべてのベアラを必要とするとは限らないとき、ＵＥ１１５は、ネットワークリソースを節約するために（１つまたは複数の）ベアラを中断し得る。
【０１１０】
[0126]図１１は、本開示の様々な態様による、ワイヤレス通信のための方法１１００の一例を示すフローチャートである。特に、方法１１００は、特定のサービスタイプのために必要とされないベアラを中断することによってリソース管理を与え得る。明快のために、方法１１００は、図１、図２、図５および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１１１】
[0127]ブロック１１０５において、ＵＥ１１５は、拡張サービス要求（ＥＳＲ）の形態の接続要求を基地局に送る。上記で説明したように、ＥＳＲは、サービスタイプを示し得、アクティブに保たれるべき（１つまたは複数の）ベアラを示すＥＰＳベアラコンテキストステータスＩＥを含み得る。ブロック１１１０において、ＵＥ１１５は、ＥＳＲに応答して、（たとえば、デフォルトＥＰＳベアラに対応する）少なくとも１つの無線ベアラを確立するメッセージを受信する。
【０１１２】
[0128]ブロック１１１５において、ＵＥ１１５は、（たとえば、ブロック１１１０において）対応する無線ベアラがそれのために確立されないベアラのセットの各ＥＰＳベアラをローカルで中断する。ＥＳＲのＥＰＳベアラコンテキストステータスＩＥは、ＥＳＲによって示されたサービスタイプに対応し、したがって、中断された（１つまたは複数の）ＥＰＳベアラは、ＥＳＲ、示されたサービスタイプ、ＥＰＳベアラコンテキストステータスＩＥ、および／または対応する無線ベアラの確立の欠如に少なくとも部分的に基づき得る。
【０１１３】
[0129]図１２は、本開示の様々な態様による、ワイヤレス通信のための方法１２００のまた別の例を示すフローチャートである。特に、方法１２００は、特定のサービスタイプのために必要とされないベアラを中断することによってリソース管理を与え得る。明快のために、方法１２００は、図１、図３、図４、図６および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１１４】
[0130]ブロック１２０５において、ＵＥ１１５は、サービス要求（ＳＲ）の形態の接続要求を基地局に送る。上記で説明したように、ＳＲはサービスタイプを示し得る。ブロック１２１０において、ＵＥ１１５は、基地局との無線リソース制御（ＲＲＣ）接続を確立する。
【０１１５】
[0131]ブロック１２１５において、ＵＥ１１５は、基地局からそれに応じて、ベアラのセットの少なくとも１つのデータ無線ベアラ（ＤＲＢ）が確立されないことを示すメッセージを受信する。そのような方法で、示されたＤＲＢ（および対応するＥＰＳベアラ）は中断され得る。
【０１１６】
[0132]図１３は、本開示の様々な態様による、図１１の方法の後に実装され得るワイヤレス通信のための方法１３００を示すフローチャートである。特に、方法１３００は、より少数のベアラを使用する第１のサービスタイプからより多くのベアラを使用する第２のサービスタイプに、ＵＥまたは装置を遷移させ得る。明快のために、方法１３００は、図１、図５および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１１７】
[0133]最初に、ＵＥ１１５は、図２、図１０および／または図１１に関して説明したような、Ｄ２Ｄ通信のために構成され得る。ブロック１３０５において、ＵＥ１１５は、第２のサービスタイプによって送られるべきアップリンクデータ（たとえば、基地局を介したアップリンク通信）を識別する。
【０１１８】
[0134]ブロック１３１０において、ＵＥ１１５は第２のＥＳＲを送り、これはアップリンクデータの識別によってトリガされ得る。上記で説明したように、第２のＥＳＲは、（Ｄ２Ｄ通信サービスタイプとは異なる）第２のサービスタイプを示し得、アクティブに保たれるべきベアラの異なるサブセットを示すＥＰＳベアラコンテキストステータスＩＥを含み得る。
【０１１９】
[0135]ブロック１３１５において、ＵＥ１１５は、第２のＥＳＲに応答して、少なくとも１つの無線ベアラを確立する第２のメッセージを受信する。各無線ベアラは、アクティブであるべき第２のＥＰＳベアラコンテキストステータスＩＥによって示されたそれぞれのＥＰＳベアラに対応し得る。
【０１２０】
[0136]ブロック１３２０において、ＵＥ１１５は、対応する無線ベアラがそれのために確立される各それぞれのＥＰＳベアラを中断からアクティブにする。したがって、ＵＥ１１５は、使用される現在のサービスタイプに従ってベアラを管理し得る。
【０１２１】
[0137]図１４は、本開示の様々な態様による、図１２の方法の後に実装され得るワイヤレス通信のための方法１４００を示すフローチャートである。特に、方法１４００は、より少数のベアラを使用する第１のサービスタイプからより多くのベアラを使用する第２のサービスタイプに、ＵＥまたは装置を遷移させ得る。明快のために、方法１４００は、図１、図４および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１２２】
[0138]最初に、ＵＥ１１５は、図３、図１０および／または図１２に関して説明したような、Ｄ２Ｄ通信のために構成され得る。ブロック１４０５において、ＵＥ１１５は、第２のサービスタイプによって送られるべきアップリンクデータ（たとえば、基地局を介したアップリンク通信）を識別する。
【０１２３】
[0139]ブロック１４１０において、ＵＥ１１５は、アップリンクデータのためのリソース割振りを要求するための通信を送る。ブロック１４１５において、ＵＥ１１５は、通信（ブロック１４１０）に応答して、アップリンクデータのためのベアラのセットの少なくとも１つのＤＲＢを示す第２のメッセージを受信する。
【０１２４】
[0140]ブロック１４２０において、ＵＥ１１５は、示された少なくとも１つのＤＲＢを構成し、対応する無線ベアラがそれのために構成される各それぞれのＥＰＳベアラを中断からアクティブにし得る。したがって、ＵＥ１１５は、使用される現在のサービスタイプに従ってベアラを管理し得る。
【０１２５】
[0141]図１５は、本開示の様々な態様による、図１１または図１２の方法の後に実装され得るワイヤレス通信のための別の方法１４を示すフローチャートである。特に、方法１５００は、より少数のベアラを使用する第１のサービスタイプからより多くのベアラを使用する第２のサービスタイプに、ＵＥまたは装置を遷移させ得る。明快のために、方法１５００は、図１、図５、図６および／または図８を参照しながら説明したＵＥ１１５、ならびに／あるいは図７Ａおよび／または図７Ｂを参照しながら説明した装置１１５の態様に関して、以下で説明する。いくつかの実装形態では、そのようなＵＥまたは装置は、以下で説明する機能を実行するようにＵＥまたは装置の機能要素を制御するためのコードの１つまたは複数のセットを実行し得る。
【０１２６】
[0142]最初に、ＵＥ１１５は、図２、図３、図１０、図１１および／または図１２に関して説明したような、Ｄ２Ｄ通信のために構成され得る。ブロック１５０５において、ＵＥ１１５は、（たとえば、図６中のｅＮＢ６２５の図５中のＳ−ＧＷ５３５において）ダウンリンクデータがＵＥのために保留中であるとき、第２のメッセージを受信する。
【０１２７】
[0143]ブロック１５１０において、ＵＥ１１５は、ダウンリンクデータの受信をサポートするために少なくとも１つのＤＲＢを構成する。ＵＥが、最初に図１２の方法に従って構成された場合、ブロック１５０５において受信された第２のメッセージは、ダウンリンクデータのためのベアラのセットの少なくとも１つのＤＲＢを示し得る。したがって、そのような場合、ＵＥ１１５は、ブロック１５１０において、示された少なくとも１つのＤＲＢを構成し得る。
【０１２８】
[0144]ＵＥが、最初に図１１の方法に従って構成された場合、ブロック１５０５において受信された第２のメッセージは、保留中のダウンリンクデータのためのベアラのセットの少なくとも１つのＥＰＳベアラを示し得る。したがって、そのような場合、ＵＥ１１５は、示された少なくとも１つのＥＰＳベアラに対応する少なくとも１つのＤＲＢを構成し得る。
【０１２９】
[0145]代替的に、ＵＥが、最初に図１１の方法に従って構成された場合、ＵＥ１１５は、ブロック１５０５において受信された第２のメッセージに応答して第２のＥＳＲを送り得る。したがって、そのような場合、ＵＥ１１５は、第２のＥＳＲに示されているように、（１つまたは複数の）ＤＲＢを構成し、ローカルで中断された（１つまたは複数の）ＥＰＳベアラをアクティブにし得る。
【０１３０】
[0146]添付の図面とともに上記に記載した詳細な説明は、例示的な実施形態について説明しており、実装され得るまたは特許請求の範囲内に入る唯一の実施形態を表すものではない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１３１】
[0147]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３２】
[0148]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に
記載されている。本明細書で説明した技法は、上述のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【０１３３】
[0149]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１３４】
[0150]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３５】
[0151]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１３６】
[0152]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、出願当初の特許請求の範囲に記載された発明を付記する。
［Ｃ１］
ユーザ機器（ＵＥ）から、サービスタイプを示す接続要求を送ることと、
ベアラのセットを確立することと、
前記ベアラのセットの少なくとも１つのベアラを中断すること、前記少なくとも１つの中断されたベアラは、前記示されたサービスタイプに少なくとも部分的に基づく、と
を備える、ワイヤレス通信のための方法。
［Ｃ２］
前記接続要求は、前記サービスタイプがデバイスツーデバイス（Ｄ２Ｄ）通信であることを示す、
Ｃ１に記載の方法。
［Ｃ３］
前記接続要求は、前記サービスタイプがマシンツーマシン通信であることを示す、
Ｃ１に記載の方法。
［Ｃ４］
前記接続要求を送ることは、
拡張サービス要求（ＥＳＲ）を基地局に送ることを備え、前記ＥＳＲは、前記サービスタイプを示し、アクティブであるべきである前記ベアラのセットの発展型パケットシステム（ＥＰＳ）ベアラのサブセットを示すＥＰＳベアラコンテキストステータス情報要素（ＩＥ）を含む、
Ｃ１に記載の方法。
［Ｃ５］
前記ＵＥにおいて、前記ＥＳＲに応答して、アクティブであるべき前記ＥＰＳベアラコンテキストステータスＩＥによって示された前記サブセットのそれぞれのＥＰＳベアラに対応する少なくとも１つの無線ベアラを確立するメッセージを受信することと、
対応する無線ベアラがそれのために確立されない前記ベアラのセットの各ＥＰＳベアラをローカルで中断することと
をさらに備える、Ｃ４に記載の方法。
［Ｃ６］
前記ＵＥから、第２のサービスタイプを示し、アクティブであるべきである前記ベアラのセットのＥＰＳベアラの第２のサブセットを示す第２のＥＰＳベアラコンテキストステータスＩＥを含む、第２のＥＳＲを送ることと、
前記ＵＥにおいて、前記第２のＥＳＲに応答して、少なくとも１つの無線ベアラを確立する第２のメッセージを受信すること、各無線ベアラは、アクティブであるべき前記第２のＥＰＳベアラコンテキストステータスＩＥによって示されたそれぞれのＥＰＳベアラに対応する、と、
対応する無線ベアラがそれのために確立される各それぞれのＥＰＳベアラを中断からアクティブにすることと
をさらに備える、Ｃ５に記載の方法。
［Ｃ７］
前記第２のＥＳＲを送ることをトリガするために、前記第２のサービスタイプによって送られるべきアップリンクデータを識別することをさらに備える、
Ｃ６に記載の方法。
［Ｃ８］
前記第２のサービスタイプによって送られるべきアップリンクデータを識別することは、
無線リソース制御（ＲＲＣ）エラーを識別することを備える、
Ｃ７に記載の方法。
［Ｃ９］
前記ＵＥから、データが第２のサービスタイプによって前記ＵＥから送られるべきであるとき、前記ベアラのセットのすべてのＥＰＳベアラをアクティブにするための通信を送ることをさらに備える、
Ｃ５に記載の方法。
［Ｃ１０］
前記通信を送ることは、
トラッキングエリア更新（ＴＡＵ）要求を送ることを備える、
Ｃ９に記載の方法。
［Ｃ１１］
前記ＵＥにおいて、前記通信に応答して第２のメッセージを受信することと、
前記第２のメッセージに少なくとも部分的に基づいて各ローカルで中断されたＥＰＳベアラをアクティブにすることと
をさらに備える、Ｃ９に記載の方法。
［Ｃ１２］
前記ＵＥにおいて、ダウンリンクデータが前記ＵＥのために保留中であるとき、第２のメッセージを受信することと、
前記ＵＥから、前記第２のメッセージに応答して第２のＥＳＲを送ることと、
前記第２のＥＳＲに示されているように各ローカルで中断されたＥＰＳベアラをアクティブにすることと
をさらに備える、Ｃ５に記載の方法。
［Ｃ１３］
前記ＵＥにおいて、ダウンリンクデータが前記ＵＥのために保留中であるとき、第２のメッセージを受信すること、前記第２のメッセージは、前記保留中のダウンリンクデータのための前記ベアラのセットの少なくとも１つのＥＰＳベアラを示す、と、
前記示された少なくとも１つのＥＰＳベアラに対応する少なくとも１つのデータリソースベアラ（ＤＲＢ）を構成することと
をさらに備える、Ｃ５に記載の方法。
［Ｃ１４］
前記接続要求を送ることは、
前記サービスタイプを示すサービス要求（ＳＲ）を送ることを備える、
Ｃ１に記載の方法。
［Ｃ１５］
前記示されたサービスタイプに少なくとも部分的に基づいて基地局との無線リソース制御（ＲＲＣ）接続を確立することと、
前記ＵＥにおいて前記基地局から、前記ベアラのセットの少なくとも１つのデータ無線ベアラ（ＤＲＢ）が確立されないことを示すメッセージを受信することと、それにより、前記少なくとも１つのＤＲＢを中断することと
をさらに備える、Ｃ１４に記載の方法。
［Ｃ１６］
前記受信されたメッセージに少なくとも部分的に基づいて、ダミーパケットデータコンバージェンスプロトコル（ＰＤＣＰ）とダミー無線リンク制御（ＲＬＣ）とを構成することをさらに備える、
Ｃ１５に記載の方法。
［Ｃ１７］
第２のサービスタイプによって送られるべきアップリンクデータを識別することと、
前記ＵＥから、リソース割振りを要求するための通信を送ることと、
前記ＵＥにおいて、前記アップリンクデータのための前記ベアラのセットの少なくとも１つのＤＲＢを示す第２のメッセージを受信することと、
前記示された少なくとも１つのＤＲＢを構成することと
をさらに備える、Ｃ１５に記載の方法。
［Ｃ１８］
前記第２のサービスタイプによって送られるべきアップリンクデータを識別することは、
無線リソース制御（ＲＲＣ）エラーを識別することを備える、
Ｃ１７に記載の方法。
［Ｃ１９］
前記ＵＥにおいて、ダウンリンクデータが前記ＵＥのために保留中であるとき、第２のメッセージを受信すること、前記第２のメッセージは、前記ダウンリンクデータのための前記ベアラのセットの少なくとも１つのＤＲＢを示す、と、
前記示された少なくとも１つのＤＲＢを構成することと
をさらに備える、Ｃ１５に記載の方法。
［Ｃ２０］
ユーザ機器（ＵＥ）から、サービスタイプを示す接続要求を送るための手段と、
ベアラのセットを確立するための手段と、
前記ベアラのセットの少なくとも１つのベアラを中断するための手段、前記少なくとも１つの中断されたベアラが、前記示されたサービスタイプに少なくとも部分的に基づく、と
を備える、ワイヤレス通信のための装置。
［Ｃ２１］
前記接続要求は、前記サービスタイプがデバイスツーデバイス（Ｄ２Ｄ）通信であることを示す、
Ｃ２０に記載の装置。
［Ｃ２２］
基地局において、サービスタイプを示す接続要求を受信することと、
ベアラのセットを確立することと、
前記ベアラのセットの少なくとも１つを中断すること、前記少なくとも１つの中断されたベアラが、前記示されたサービスタイプに少なくとも部分的に基づく、と
を備える、ワイヤレス通信のための方法。
［Ｃ２３］
前記接続要求は、前記サービスタイプがデバイスツーデバイス（Ｄ２Ｄ）通信であることを示す、
Ｃ２２に記載の方法。
［Ｃ２４］
前記接続要求を受信することは、
拡張サービス要求（ＥＳＲ）を受信することを備え、前記ＥＳＲは、前記サービスタイプを示し、発展型パケットシステム（ＥＰＳ）ベアラコンテキストステータス情報要素（ＩＥ）を含み、前記ＩＥは、アクティブであるべきである前記ベアラのセットのＥＰＳベアラのサブセットを示す、
Ｃ２２に記載の方法。
［Ｃ２５］
前記接続要求を受信することは、
前記サービスタイプを示すサービス要求（ＳＲ）を受信することを備える、
Ｃ２２に記載の方法。
［Ｃ２６］
前記示されたサービスタイプに少なくとも部分的に基づいてユーザ機器（ＵＥ）との無線リソース制御（ＲＲＣ）接続を確立することと、
前記ＵＥに、前記ベアラのセットの少なくとも１つのデータ無線ベアラ（ＤＲＢ）が確立されないことを示すメッセージを送ることと、それにより、前記少なくとも１つのＤＲＢを中断することと
をさらに備える、Ｃ２５に記載の方法。
［Ｃ２７］
前記基地局からモビリティ管理エンティティ（ＭＭＥ）に、前記受信された接続要求に応答してメッセージを送ることをさらに備え、前記メッセージは、前記ベアラのセットのどのベアラが前記ＭＭＥによって中断されるべきであるかを示す、
Ｃ２２に記載の方法。
［Ｃ２８］
基地局において、サービスタイプを示す接続要求を受信するための手段と、
ベアラのセットを確立するための手段と、
前記ベアラのセットの少なくとも１つを中断するための手段、前記少なくとも１つの中断されたベアラは、前記示されたサービスタイプに少なくとも部分的に基づく、と
を備える、ワイヤレス通信のための装置。
［Ｃ２９］
前記接続要求は、前記サービスタイプがデバイスツーデバイス（Ｄ２Ｄ）通信であることを示す、
Ｃ２８に記載の装置。
［Ｃ３０］
基地局において、サービスタイプを示す接続要求を受信するように構成された無線リソース制御（ＲＲＣ）接続マネージャのための手段をさらに備える、
Ｃ２８に記載の装置。
【図１】
0006563476.tif 000002
【図２】
0006563476.tif 000003
【図３】
0006563476.tif 000004
【図４】
0006563476.tif 000005
【図５】
0006563476.tif 000006
【図６】
0006563476.tif 000007
【図７Ａ】
0006563476.tif 000008
【図７Ｂ】
0006563476.tif 000009
【図８】
0006563476.tif 000010
【図９】
0006563476.tif 000011
【図１０】
0006563476.tif 000012
【図１１】
0006563476.tif 000013
【図１２】
0006563476.tif 000014
【図１３】
0006563476.tif 000015
【図１４】
0006563476.tif 000016
【図１５】
0006563476.tif 000017